(57)【要約】【課題】  骨材移送面を簡単な構造に形成させ、かつ骨材に対して下方からの空気と上方からの高圧空気を効果的に吹き付けて微粉除去能率を向上させることができる骨材微粉除去装置の提供。【解決手段】  本体部１に振動を与えることにより、骨材移送面２０上において骨材投入部２１から投入された骨材Ｋを骨材排出部２２に向けて移送させ、骨材移送面上を移送されている骨材に対し、空気穴２３から噴出される下方からの空気と、エアノズル５から噴射される上方からの高圧空気とを同時に吹き付けて、骨材に含まれる微粉を吹き飛ばし除去させる。【選択図】  図１
2008063192.tif 000002
【特許請求の範囲】
【請求項１】
スプリングにより弾性支持されると共に、平坦板により形成された骨材受板が内部に設けられている本体部と、
前記骨材受板の上面に形成された骨材移送面と、
前記本体部に振動を与えることにより、前記骨材移送面上において骨材投入部から投入された骨材を骨材排出部に向けて移送させるための加振手段と、
前記骨材受板の上方に形成された微粉除去室及びこの微粉除去室の上方に開口するように本体に形成された微粉排気口と、
前記骨材受板の下方に形成された空気流入室及びこの空気流入室内に開口するように本体に形成された空気取り入れ口と、
前記骨材受板にスリット状に形成され、前記空気流入室からの空気を微粉除去室に噴出させるための空気穴と、
前記骨材移送面の上方に配設され、骨材移送面上を移送されている骨材に対し、移送方向に対向する方向から高圧空気を噴射させるエアノズルを備えていることを特徴とする骨材微粉除去装置。
【発明の詳細な説明】
【技術分野】
【０００１】
本発明は、破砕機により破砕された骨材を処理の対象とし、この骨材に含まれた微粉を取り除くようにした骨材微粉除去装置に関する。
【背景技術】
【０００２】
従来、破砕機により破砕された骨材から微粉等を取り除くようにした骨材微粉除去装置について、本出願人において既に出願している（特許文献１参照）。
【０００３】
この骨材微粉除去装置では、階段状に配設した受板の上方に設けた網状体により形成された骨材移送面上において、骨材投入部から投入された骨材が加振機による振動で骨材排出部に向けて移送されながら満遍なく分散する。
そして、空気流入室内には送風機によって空気取入口から空気が供給され、この空気が受板間の空気流入路を経て網状体の下方から微粉除去室内に向けて吹き付けられるため、骨材に含まれている微粉等を微粉除去室内で効率よく吹き飛ばすことができる。
又、骨材が邪魔板に達すると、骨材の移送が邪魔板によって遮られるため、骨材が一時的に滞留し、この状態で骨材同士が接触し合い、互いにまぶりついた（付着した）微粉を分離させる。
そこにエアノズルから高圧空気が吹き付けられるため、骨材から更に微粉が分離し、その分離した微粉を吹き飛ばすことができるものであった。
【特許文献１】特開２００４−３４４８０９号公報
【発明の開示】
【発明が解決しようとする課題】
【０００４】
しかしながら、かかる従来の骨材微粉除去装置は、多数枚の受板を階段状に配設させ、この受板の上方に設けた網状体により骨材移送面を形成させた構造であるため、その構造が複雑になり、部品点数の増大による設備コスト面やメンテナンス面で不利になるという問題があった。
【０００５】
特に従来では、邪魔板によって滞留した状態の骨材に対してエアノズルから高圧空気を吹き付けるようにしており、このため、滞留した骨材の内部にまで空気が侵入できず、高圧空気による吹き付けが不十分になるという問題があった。
又、従来では、邪魔板が網状体の先端に形成されていたため、滞留した骨材に対して網状体の下方からの空気を吹き付けることができない。
このため空気取入口による下方からの空気とエアノズルによる上方からの高圧空気を同時に吹き付けることができず、十分な除去ができないなど、微粉除去能率の面で改良の余地を残していた。
【０００６】
本発明は、上記のような問題を解決するためになされたもので、骨材移送面を簡単な構造に形成させ、かつ骨材に対して下方からの空気と上方からの高圧空気を効果的に吹き付けて微粉除去能率を向上させることができる骨材微粉除去装置を提供することを課題としている。
【課題を解決するための手段】
【０００７】
上記の課題を解決するために、本発明の骨材微粉除去装置は、
スプリングにより弾性支持されると共に、平坦板により形成された骨材受板が内部に設けられている本体部と、
前記骨材受板の上面に形成された骨材移送面と、
前記本体部に振動を与えることにより、前記骨材移送面上において骨材投入部から投入された骨材を骨材排出部に向けて移送させるための加振手段と、
前記骨材受板の上方に形成された微粉除去室及びこの微粉除去室の上方に開口するように本体に形成された微粉排気口と、
前記骨材受板の下方に形成された空気流入室及びこの空気流入室内に開口するように本体に形成された空気取り入れ口と、
前記骨材受板にスリット状に形成され、前記空気流入室からの空気を微粉除去室に噴出させるための空気穴と、
前記骨材移送面の上方に配設され、骨材移送面上を移送されている骨材に対し、移送方向に対向する方向から高圧空気を噴射させるエアノズルを備えている構成とした。
【発明の効果】
【０００８】
本発明の骨材微粉除去装置にあっては、骨材を移送させる骨材移送面が平坦板により形成された骨材受板の上面に形成されているため、従来と異なり、構造が極めて単純になり、設備コストが安価になるし、メンテナンスが簡単になる。
【０００９】
特に、滞留している骨材に対してではなく、骨材移送面上を移送されている骨材に対し、空気穴から噴出される下方からの空気と、エアノズルから噴射される上方からの高圧空気とを同時に吹き付けるため、骨材の隅々まで満遍なく空気が行き届き、微粉を効率良く効果的に吹き飛ばして分離除去させることができる。
【発明を実施するための最良の形態】
【００１０】
図１は本発明の１実施例である骨材微粉除去装置の断面図、図２は要部の断面図である。
【００１１】
図において、１は本体部で、内部に空間が形成された函体に形成され、スプリング１０，１０により弾性支持されている。
本体部１の内部には、平坦板により形成された骨材受板２が設けられ、この骨材受板２の上面が骨材移送面２０に形成され、この骨材移送面２０の一端側（図１では左端側）が骨材投入部２１に形成され、他端側（図１では右端側）が骨材排出部２２に形成されている。
【００１２】
本体部１には振動手段としての加振機（図示省略）が連結されており、この加振機は、その振動方向（矢印Ｂ方向）が骨材Ｋの移送方向（矢印Ａ方向）に傾く状態に取り付けられている。
そして、この振動手段により前記本体部１に振動を与えることにより、前記骨材移送面２０上において骨材投入部２１から投入された骨材Ｋを骨材排出部２２に向けて移送させるように形成されている。
【００１３】
前記骨材受板２の上方に微粉除去室３が形成されると共に、骨材受板２の下方に空気流入室４が形成され、この空気流入室４からの空気を微粉除去室３に噴出させるための多数の空気穴２３が前記骨材受板２にスリット状に形成されている。
【００１４】
本体部１の底部には前記空気流入室４内に開口するように空気取入口４０が形成され、この空気取入口４０には、送風機４１が接続されている。
【００１５】
本体部１の天井部には前記微粉除去室３に開口するように微粉排気口３０が形成され、この微粉排気口３０には、バグフイルタ等の集塵機（図示省略）が接続されている。
【００１６】
前記骨材移送面２０の上方には、高圧空気を噴射させるための複数個（実施例では１３個）のエアノズル５が骨材Ｋの移送方向に一定間隔で配設されている。
このエアノズル５は、高圧空気供給装置（図示省略）に接続され、骨材移送面２０上を移送されている骨材Ｋに対し、移送方向に対向する方向から高圧空気を噴射させるように設けられている。
【００１７】
次に、この骨材微粉除去装置の作用を説明する。
骨材投入部２１から投入された骨材Ｋは、加振機による振動で骨材移送面２０上を骨材排出部２２に向けて移送される。
この骨材移送面２０上での移送に際し、移送される骨材は、振動により骨材移送面２０上で分散する。
【００１８】
又、空気流入室４内には送風機４１によって空気取入口４０から空気が供給され、この空気が骨材受板２に形成した空気穴２３を経て微粉除去室３に吹き出される。
この空気穴２３からの吹き出しと同時に、エアノズル５から高圧空気が吹き付けられるもので、このように、骨材移送面２０上で分散している骨材Ｋに対し、空気穴２３から噴出される下方からの空気と、エアノズル５から噴射される上方からの高圧空気とを同時に吹き付けるため、骨材Ｋの隅々まで満遍なく空気が行き届き、微粉を効率良く効果的に吹き飛ばして分離させることができる。
又、エアノズル５からの高圧空気は、骨材移送面２０上を移送されている骨材Ｋに対し、移送方向に対向する方向、いわゆる向かい風の状態で空気が浴びせられるため、骨材Ｋへの風当たりが強くなり、微粉の吹き飛ばし効果を向上させることができる。
【００１９】
上記のようにして微粉除去室３内に吹き飛ばされた微粉は、空気とともに微粉排気口３０からバグフイルタ等の集塵機に収集されて回収される。
又、微粉を分離除去された処理済の骨材は、骨材排出部２２から取り出され、微粉の含有が少ない骨材として採取される。
【００２０】
なお、骨材微粉除去装置において、通常の乾式設備では、従来、原料骨材（原料細骨材）の水分含有率が１．５％程度以下でなければ微粉除去の効果が認められないものであったが、本発明装置では、水分含有率が３．０％程度の原料骨材（原料細骨材）に対して効率よく微粉を除去することができた。
【００２１】
一例ではあるが、水分含有率が３．４４％の原料骨材（原料細骨材）に対し、空気穴からの吹き出しと同時にエアノズル５から高圧空気を吹き付けた場合（高圧空気有）と、空気穴からの吹き出しのみの場合（高圧空気無）とで装置通過後の水分量を比較した実験例を以下の表１に示す。
【００２２】
【表１】
2008063192.tif 000003
【００２３】
表１で示すように、原料骨材の水分含有率が３．４４％のとき、高圧空気無の場合の微粉量が５．８％であったのに対し、高圧空気有の場合の微粉量が２．１％に減少した。
これは、水分含有率が高い原料でも乾式で骨材を生産することができることを意味し、降雨時での骨材生産が可能となるので、梅雨時や降雨量の多い地方でも連続生産が可能になるものである。
【図面の簡単な説明】
【００２４】
【図１】本発明の１実施例である骨材微粉除去装置の断面図である。
【図２】要部の断面図である。
【符号の説明】
【００２５】
１  本体部
１０  スプリング
２  骨材受板
２０  骨材移送面
２１  骨材投入部
２２  骨材排出部
２３  空気穴
３  微粉除去室
３０  微粉排気口
４  空気流入室
４０  空気取入口
４１  送風機
５  エアノズル
Ｋ  骨材
【図１】
2008063192.tif 000004
【図２】
2008063192.tif 000005